【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
表示言語を設定し、設定されている表示言語に関連付けられているフォントで情報を表示部に表示する画像形成装置であって、
印刷物に合成印字するための文字を登録する登録手段と、
前記文字を、前記画像形成装置が現在設定している表示言語に関連付けられているフォント種別でフォント展開を行って、前記文字の画像を得る取得手段と、
を有し、
前記取得手段は、前記画像形成装置が現在設定している表示言語に関連付けられているフォント種別では前記文字のフォント展開ができない場合に、フォント展開できるフォント種別を特定し、前記特定されたフォント種別で前記文字のフォント展開を行って、前記文字の画像を得ることを特徴とする画像形成装置。
【請求項２】
文字およびフォント種別を入力として受け付け、当該文字の画像を生成するフォント展開を行う生成手段を有し、
前記取得手段は、前記生成手段に前記登録された文字および前記画像形成装置が現在設定している表示言語に関連付けられているフォント種別を前記生成手段に入力することで、前記生成手段がフォント展開を行って生成した前記登録された文字の画像を取得し、
前記取得手段はさらに、フォント展開できるフォント種別を特定するために、前記登録された文字および、前記現在設定している表示言語に関連付けられているフォント種別とは異なるフォント種別を、前記生成手段に入力し、前記生成手段が当該入力された異なるフォント種別でフォント展開ができれば、当該入力された異なるフォント種別を、フォント展開できるフォント種別として特定することを特徴とする請求項１に記載の画像形成装置。
【請求項３】
前記登録された文字は、文字コードであることを特徴とする請求項１または２に記載の画像形成装置。
【請求項４】
前記フォント種別の特定は、フォントテーブルから検索することによることを特徴とする請求項１乃至３のいずれか１項に記載の画像形成装置。
【請求項５】
前記登録手段は、前記文字を１文字目とする文字列を登録し、
前記取得手段は、前記文字列の１文字目を取得し、指定のフォント種別で当該取得された１文字目のフォント展開ができれば、当該指定のフォント種別をフォント展開できるフォント種別として特定することを特徴とする請求項１乃至４のいずれか１項に記載の画像形成装置。
【請求項６】
複数のフォント種別を複数の言語と関連付けて記憶する記憶手段と、
前記複数の言語から１つの言語を設定する設定手段と、
前記設定手段によって現在設定されている言語に対応するフォント種別の文字で、情報を表示する表示手段と、
ユーザーによって指定された文字に対応する文字コードを登録する登録手段と、
前記登録された文字コードから、前記設定手段によって現在設定されている言語に関連付けられているフォント種別の文字を生成する生成手段と、
前記生成手段によって生成された文字を印刷する印刷手段と、
を有する画像形成装置において、
前記生成手段はさらに、前記設定手段によって現在設定されている言語に関連付けられているフォント種別では、前記登録された文字コードに対応する文字を生成できない場合に、前記登録された文字コードに基づいて、前記登録された文字コードに対応する文字を生成できるフォント種別を特定し、前記登録された文字コードに対応する、前記特定されたフォント種別の文字を生成することを特徴とする画像形成装置。
【請求項７】
前記生成手段は、
文字コードおよびフォント種別を入力として受け付け、当該文字コードに対応する、当該フォント種別の文字を生成する手段を有し、
前記複数のフォント種別のうちのいずれか１つのフォント種を選択し、前記登録された文字コードおよび前記選択されたフォント種別を前記生成する手段に入力して、前記生成する手段が前記登録された文字コードに対応する文字を生成できれば、前記選択されたフォント種別を前記生成できるフォント種別として特定することを特徴とする請求項６に記載の画像形成装置。
【請求項８】
前記生成手段は、
前記複数のフォント種別のうちのいずれか１つのフォント種別を選択し、前記登録された文字コードおよび前記選択されたフォント種別を前記生成する手段に入力して、前記生成する手段が前記登録された文字コードに対応する文字を生成できなければ、前記複数のフォント種別のうちの他のフォント種別を選択し、前記登録された文字コードおよび当該選択された他のフォント種別を前記生成する手段に入力して、前記他のフォント種別が、前記登録された文字コードに対応する文字を生成できるフォント種別であるか判定することを特徴とする請求項７に記載の画像形成装置。
【請求項９】
表示言語を設定し、設定されている表示言語に関連付けられているフォントで情報を表示部に表示する画像形成装置の制御方法であって、
印刷物に合成印字するための文字を登録する登録工程と、
前記文字を、前記画像形成装置が現在設定している表示言語に関連付けられているフォント種別でフォント展開を行って、前記文字の画像を得る第１の取得工程と、
前記画像形成装置が現在設定している表示言語に関連付けられているフォント種別では前記文字のフォント展開ができない場合に、フォント展開できるフォント種別を特定し、前記特定されたフォント種別で前記文字のフォント展開を行って、前記文字の画像を得る第２の取得工程と、
を有することを特徴とする画像形成装置の制御方法。
【請求項１０】
複数のフォント種別を複数の言語と関連付けて記憶している画像形成装置の制御方法であって、
ユーザーによって指定された文字に対応する文字コードを登録する登録工程と、
前記複数の言語から１つの言語を設定する設定工程と、
前記設定工程によって現在設定されている言語に対応するフォント種別の文字で、情報を表示する表示工程と、
前記登録された文字コードから、前記設定工程によって設定された言語に関連付けられているフォント種別の文字を生成する第１の生成工程と、
前記第１の生成工程によって生成された文字を印刷する印刷工程と、
を有する画像形成装置の制御方法において、
前記設定工程によって設定された言語に関連付けられているフォント種別では、前記登録された文字コードに対応する文字を生成できない場合に、前記登録された文字コードに基づいて、前記登録された文字コードに対応する文字を生成できるフォント種別を特定し、前記登録された文字コードに対応する、前記特定されたフォント種別の文字を生成する別の生成工程と、
前記別の生成工程によって生成された文字を印刷する別の印刷工程と、
をさらに有することを特徴とする画像形成装置の制御方法。
【請求項１１】
請求項１乃至８のいずれか１項に記載の画像形成装置の各手段をコンピュータの実行により実現するためのプログラム。
【手続補正２】
【補正対象書類名】明細書
【補正対象項目名】０００７
【補正方法】変更
【補正の内容】
【０００７】
本発明は、表示言語を設定し、設定されている表示言語に関連付けられているフォントで情報を表示部に表示する画像形成装置であって、印刷物に合成印字するための文字を登録する登録手段と、前記文字を、前記画像形成装置が現在設定している表示言語に関連付けられているフォント種別でフォント展開を行って、前記文字の画像を得る取得手段と、を有し、前記取得手段は、前記画像形成装置が現在設定している表示言語に関連付けられているフォント種別では前記文字のフォント展開ができない場合に、フォント展開できるフォント種別を特定し、前記特定されたフォント種別で前記文字のフォント展開を行って、前記文字の画像を得ることを特徴とする。